(57)【要約】      （修正有）【課題】複雑な装置を必要とせず、操作する人に関わらず再現性があり、適用時に迅速に提供可能なポリメチルメタクリレート骨セメントの製造方法の提供。【解決手段】ａ）１００μｍ未満のふるい分けした画分の少なくとも１種の粒子状ポリメチルメタクリレート又はポリメチルメタクリレート−コポリマーと、１種の開始剤と；メチルメタクリレートに不溶性である少なくとも１種の粒子状又は繊維状添加剤であって、室温において該添加剤１ｇ当たり０．６ｇ以上のメチルメタクリレートの吸収能力を有する添加剤と、を含有するセメント粉末を準備する工程と、ｂ）少なくとも１種のメチルメタクリレートと、１種の活性化剤とを含有するモノマー溶液を準備する工程と、ｃ）前記セメント粉末と前記モノマー溶液とを接触させる工程であって、混合が剪断力を加えずに行われる工程と、を含む、ポリメチルメタクリレート骨セメントの製造方法。【選択図】なし【特許請求の範囲】
【請求項１】
ポリメチルメタクリレート骨セメントを製造する方法であって、
ａ）
−  １００μｍ未満のふるい分けした画分の少なくとも１種の粒子状ポリメチルメタクリレートまたはポリメチルメタクリレート−コポリマーと、
−  １種の開始剤と、
−  メチルメタクリレートに不溶性である少なくとも１種の粒子状または繊維状添加剤であって、室温において該添加剤１ｇ当たり０．６ｇ以上のメチルメタクリレートの吸収能力を有する添加剤と
を含有するセメント粉末を準備する工程と、
ｂ）
−  少なくとも１種のメチルメタクリレートと、
−  １種の活性化剤と
を含有するモノマー溶液を準備する工程と、
ｃ）前記セメント粉末と前記モノマー溶液とを接触させる工程であって、混合が剪断力を加えずに行われる、工程と
を含む、方法。
【請求項２】
前記添加剤が、その表面上に共有結合しているヒドロキシル基を有することを特徴とする、請求項１に記載の方法。
【請求項３】
前記添加剤が、微結晶性セルロース、酸化セルロース、デンプン、二酸化チタンおよび二酸化ケイ素からなる群から選択されることを特徴とする、請求項１または２に記載の方法。
【請求項４】
前記添加剤が、発熱性二酸化ケイ素であることを特徴とする、請求項１〜３のいずれか一項に記載の方法。
【請求項５】
前記添加剤が、１００μｍ未満のふるい分けした画分に従う、好ましくは５０μｍ未満のふるい分けした画分に従う、特に好ましくは１０μｍのふるい分けした画分に従う粒径を有することを特徴とする、請求項１〜４のいずれか一項に記載の方法。
【請求項６】
前記セメント粉末が、前記セメント粉末の全重量に対して、０．１〜２．５重量％の量で前記添加剤を含有することを特徴とする、請求項１〜５のいずれか一項に記載の方法。
【請求項７】
ａ）
−  １００μｍ未満のふるい分けした画分の少なくとも１種の粒子状ポリメチルメタクリレートまたはポリメチルメタクリレート−コポリマーと、
−  １種の開始剤と、
−  メチルメタクリレートに不溶性である少なくとも１種の粒子状または繊維状添加剤であって、室温において該添加剤１ｇ当たり０．６ｇ以上のメチルメタクリレートの吸収能力を有する添加剤と
を含有するセメント粉末と、
ｂ）
−  少なくとも１種のメチルメタクリレートと、
−  １種の活性化剤と
を含有するモノマー溶液と
を含むことを特徴とする、請求項１〜５のいずれか一項に記載の方法において使用するための骨セメントキット。
【請求項８】
前記添加剤が、その表面上に共有結合しているヒドロキシル基を有することを特徴とする、請求項７に記載のキット。
【請求項９】
前記添加剤が、微結晶性セルロース、酸化セルロース、デンプン、二酸化チタンおよび二酸化ケイ素からなる群から選択されることを特徴とする、請求項７または８に記載のキット。
【請求項１０】
前記添加剤が、発熱性二酸化ケイ素であることを特徴とする、請求項７〜９のいずれか一項に記載のキット。
【請求項１１】
前記添加剤が、１００μｍ未満のふるい分けした画分に従う、好ましくは５０μｍ未満のふるい分けした画分に従う、特に好ましくは１０μｍのふるい分けした画分に従う粒径を有することを特徴とする、請求項７〜１０のいずれか一項に記載のキット。
【請求項１２】
前記セメント粉末が、前記セメント粉末の全重量に対して、０．１〜２．５重量％の量で前記添加剤を含有することを特徴とする、請求項７〜１１のいずれか一項に記載のキット。
【請求項１３】
前記モノマー溶液が、メチルメタクリレートを含有することを特徴とする、請求項７〜１２のいずれか一項に記載のキット。
【請求項１４】
ポリマー粉末が、開始剤として過酸化ジベンゾイルを含有することを特徴とする、請求項７〜１３のいずれか一項に記載のキット。
【請求項１５】
前記モノマー溶液が、芳香族アミンの群からの少なくとも１種の活性化剤を含有することを特徴とする、請求項１４に記載のキット。
【請求項１６】
前記モノマー溶液が、キノンまたは立体障害性フェノールの群からの少なくとも１種のラジカル安定剤を含有することを特徴とする、請求項７〜１５のいずれか一項に記載のキット。
【請求項１７】
前記セメント粉末が、粒子状放射線不透過剤を含有することを特徴とする、請求項７〜１６のいずれか一項に記載のキット。
【請求項１８】
前記セメント粉末が、
０．０〜１５．０重量％の放射線不透過剤と、
０．４〜３．０重量％の過酸化ジベンゾイルと、
７９．５〜９９．３重量％のポリメチルメタクリレートおよび／またはポリメチルメタクリレート−コポリマーと、
０．１〜２．５重量％の添加剤と
を含むことを特徴とする、請求項７〜１７のいずれか一項に記載のキット。
【請求項１９】
前記セメント粉末が、
１．０〜１０重量％の抗感染症薬または防腐剤と、
０．０〜１５．０重量％の放射線不透過剤と、
０．４〜３．０重量％の過酸化ジベンゾイルと、
６９．５〜９８．３重量％のポリメチルメタクリレートおよび／またはポリメチルメタクリレート−コポリマーと、
０．１〜２．５重量％の添加剤と
を含むことを特徴とする、請求項７〜１８のいずれか一項に記載のキット。
【請求項２０】
請求項１〜６のいずれか一項に記載の方法によって製造することができる骨セメント。
【発明の詳細な説明】
【技術分野】
【０００１】
本発明の目的は、ポリメチルメタクリレート骨セメントを製造する方法、前記方法において使用するための骨セメントキット、および前記方法によって製造することができる骨セメントである。
【背景技術】
【０００２】
ポリメチルメタクリレート（ＰＭＭＡ）骨セメントはＳｉｒ  Ｃｈａｒｎｌｅｙの先駆的な研究に基づく。ＰＭＭＡ骨セメントは液体モノマー成分および粉末成分からなる。モノマー成分は一般に、モノマー、メチルメタクリレート、およびその中に溶解される活性化剤（Ｎ，Ｎ−ジメチル−ｐ−トルイジン）を含有する。骨セメント粉末とも呼ばれる粉末成分は、スチレン、メチルアクリレートまたは同様のモノマーなどのメチルメタクリレートおよびコ−モノマーに基づいて、重合、好ましくは懸濁重合によって製造される１つ以上のポリマーと、放射線不透過剤と、開始剤と、過酸化ジベンゾイルとを含む。粉末成分およびモノマー成分を混合し、メチルメタクリレート中の粉末成分のポリマーを膨脹させることにより、塑性的に成形することができ、実際の骨セメントであるドウ（生地、ｄｏｕｇｈ）が生成する。粉末成分とモノマー成分を混合している間、活性化剤であるＮ，Ｎ−ジメチル−ｐ−トルイジンは、ラジカルを形成しながら過酸化ジベンゾイルと反応する。このように形成されたラジカルはメチルメタクリレートのラジカル重合を引き起こす。メチルメタクリレートの重合が進行すると、セメントドウの粘度は、セメントドウが凝固するまで増加する。
【０００３】
ポリメチルメタクリレート骨セメントは、適切な混合ビーカー中でのスパチュラを用いたセメント粉末とモノマー溶液の手動混合によって混合することができる。これは、骨セメントドウに封入される気泡の原因となる可能性があり、硬化した骨セメントの機械的特性に対して悪影響を与える可能性がある。
【０００４】
多数の真空セメンティングシステムが、骨セメントドウにおける空気混入を防ぐために記載されており、それらの中で以下を例示目的として指定する：特許文献１、特許文献２、特許文献３、特許文献４、特許文献５、特許文献６、特許文献７、特許文献８、特許文献９、特許文献１０、特許文献１１、特許文献１２、特許文献１３。
【０００５】
セメント粉末およびモノマー溶液の両方が混合システムの別個のコンパートメント内に既に充填され、セメントを適用する直前にのみセメンティングシステムにおいて互いに混合する、セメンティングシステムがセメンティング技術の発展である。この種類の閉じられた完全プレパック混合システムは、特許文献１４、特許文献１５、特許文献１６、特許文献１７および特許文献１８に記載されている。
【０００６】
実質的に全ての公知の完全プレパック混合システムの使用は、撹拌羽根を備えた混合ロッドなどの混合デバイスを起動することによってセメント成分、セメント粉末およびモノマー溶液を手動で混合してセメントドウを形成するために医療従事者を必要とする。このように形成されたセメントドウの均質性は手動混合の手段に顕著に依存するので、変動を受ける可能性がある。
【０００７】
特許文献１７および特許文献１８に記載されているように成分の手動混合を必要としない混合方法および設備は、複雑な設計の設備および／またはしばしば特別な必須条件下でのみの作業を必要とする。
【０００８】
したがって、セメントドウの起こり得る不均一性を防ぐために、特許文献１７は、セメント成分が手動により駆動される機械的混合プロセスの非存在下で互いに混合される、貯蔵および混合装置を提案した。これに関して、ポリメチルメタクリレート骨セメント粉末はカートリッジに貯蔵され、セメント粉末はカートリッジの全容積を占め、セメント粉末の粒子間の介入空間の容積は、カートリッジ内に貯蔵されたセメント粉末を使用した骨セメントドウの生成に必要とされるモノマー溶液の容積と等しい。この装置の設計は、モノマー溶液が、真空の作用によって上方からカートリッジ内に誘導され、カートリッジの下側で真空コネクタに適用される真空によってセメント粉末を引き込むようなものであり、セメント粒子の介入空間に位置する空気はモノマー溶液と入れ替わる。これは、撹拌器によってこのように形成されるセメントドウの機械的混合を含まない。現在市販されているセメント粉末は前記装置で混合できないことがこのシステムの不都合な点である。なぜなら、セメント粉末粒子の急速な膨脹により、モノマー溶液の約１〜２ｃｍの深さまでのセメント粉末への浸入後にゲル状バリアを形成し、セメント粉末全体を通るモノマー溶液のさらなる移動を妨げるからからである。さらに、従来のセメント粉末は、粉末粒子が、異なる表面エネルギーに起因してメチルメタクリレートによって不十分にのみ湿潤されるという現象を示す。結果として、メチルメタクリレートはセメント粉末内にゆっくり浸透するだけである。
【先行技術文献】
【特許文献】
【０００９】
【特許文献１】米国特許第６，０３３，１０５Ａ号
【特許文献２】米国特許第５，６２４，１８４Ａ号
【特許文献３】米国特許第４，６７１，２６３Ａ号
【特許文献４】米国特許第４，９７３，１６８Ａ号
【特許文献５】米国特許第５，１００，２４１Ａ号
【特許文献６】国際公開第９９／６７０１５Ａ１号
【特許文献７】欧州特許第１０２０１６７Ａ２号
【特許文献８】米国特許第５，５８６，８２１Ａ号
【特許文献９】欧州特許第１０１６４５２Ａ２号
【特許文献１０】独国特許第３６４０２７９Ａ１号
【特許文献１１】国際公開第９４／２６４０３Ａ１号
【特許文献１２】欧州特許第１００５９０１Ａ２号
【特許文献１３】米国特許第５，３４４，２３２Ａ号
【特許文献１４】欧州特許第０６９２２２９Ａ１号
【特許文献１５】独国特許出願公開第１０  ２００９  ０３１１７８Ｂ３号
【特許文献１６】米国特許第５，９９７，５４４Ａ号
【特許文献１７】国際公開第００／３５５０６Ａ１号
【特許文献１８】米国特許第５，５８８，７４５Ａ号
【発明の概要】
【発明が解決しようとする課題】
【００１０】
したがって、本発明の目的は、あらゆる複雑な装置を必要とせず、操作する人に関わらず再現性があり、適用のために骨セメントを迅速に提供する、ポリメチルメタクリレート骨セメントを混合するための、簡単で、複雑ではない方法を開発することである。
【課題を解決するための手段】
【００１１】
したがって、本発明の目的は、ポリメチルメタクリレート骨セメントを製造する方法であって、
ａ）１００μｍ未満のふるい分けした画分の少なくとも１種の粒子状ポリメチルメタクリレートまたはポリメチルメタクリレート−コポリマーと、１種の開始剤と、メチルメタクリレートに不溶性である少なくとも１種の粒子状または繊維状添加剤であって、室温において該添加剤１ｇ当たり０．６ｇ以上のメチルメタクリレートの吸収能力を有する添加剤とを含有するセメント粉末を準備する工程と、
ｂ）少なくとも１種のメチルメタクリレートと、１種の活性化剤とを含有するモノマー溶液を準備する工程と、続いて、剪断力を加えずに前記セメント粉末と前記モノマー溶液とを接触させる工程とを含む、方法によって満たされた。
【００１２】
さらに、その目的は前記方法において使用するための骨セメントキットによって満たされた。骨セメントキットは、
ａ）１００μｍ未満のふるい分けした画分の少なくとも１種の粒子状ポリメチルメタクリレートまたはポリメチルメタクリレート−コポリマーと、１種の開始剤と、メチルメタクリレートに不溶性である少なくとも１種の粒子状または繊維状添加剤であって、室温において該添加剤１ｇ当たり０．６ｇ以上のメチルメタクリレートの吸収能力を有する添加剤とを含有するセメント粉末と、
ｂ）少なくとも１種のメチルメタクリレートと、１種の活性化剤とを含有するモノマー溶液とを含む。
【００１３】
その目的はまた、前記方法によって製造される骨セメントによって満たされた。
【発明を実施するための形態】
【００１４】
驚くべきことに、以下に定義されるセメント粉末と以下に定義されるモノマー溶液との簡単な接触により、不粘着（ｔａｃｋ−ｆｒｅｅ）で、塑性的に変形可能な骨セメントドウであって、セメントドウを手動でまたは補助器具の使用により混合する必要性を有さずにラジカル重合によって独立して硬化する骨セメントドウを製造することができることが見出された。
【００１５】
本発明は、驚くべき観察、すなわち、メチルメタクリレートに不溶性であり、室温において添加剤１ｇ当たり０．６ｇより多いメチルメタクリレートの吸入能力を有する粒子状または繊維状添加剤の、低粘度セメントのセメント粉末への添加により、モノマー溶液を少なくとも５ｃｍの距離にわたって押圧することができる改変されたセメント粉末を得ることができることに基づく。添加剤は、驚くべきことに、モノマー溶液によるセメント粉末の湿潤性も改良する。それは、セメント粉末内へのモノマー溶液の浸入を容易にする。これに関して、添加剤は「ウィック効果（ｗｉｃｋ  ｅｆｆｅｃｔ）」を有する。添加剤は、０．１重量％からの非常に低い量でさえもモノマー溶液をセメント粉末の内部へ誘導する。さらに、添加剤は、ポリマー粒子が粘着性になるのを遅延させ、それにより遮断ゲル層の形成が遅延し、セメント粉末へのモノマー溶液の浸入が有益になる。
【００１６】
さらに、驚くべきことに、また、セメント粉末への添加剤の添加により、国際公開第００／３５５０６Ａ１号の装置において、真空作用により、モノマー溶液が、モノマー溶液の注入点から開始して少なくとも３．０ｃｍの距離にわたって吸引され得ることが明らかとなる。また、本発明に従ってモノマー溶液をセメント粉末内へ押圧することによって、セメント成分の機械的混合が必要とされないように均質なセメントドウを製造することも明らかとなる。セメント粉末およびモノマー溶液を混合した後、これにより、処理され、適用され、ラジカル重合により独立して硬化し得る、不粘着で、塑性的に変形可能なセメントドウがすぐに生成する。
【００１７】
本発明によれば、セメント粉末およびモノマー溶液が、セメント粉末内に浸透するおよび／またはセメント粉末によって吸引されるモノマー溶液によって混合される、方法が提供される。結果として、機械的混合は必要とされず、手動も補助器具もいらず、混合を剪断力を加えずに行うことができる。
【００１８】
好ましくは、モノマー溶液およびセメント粉末は、モノマー溶液が地面に対してセメント粉末の下に配置されるように、吸収の前および間に適切に配置される。これにより、セメント粉末に封入した空気を容易に放出することができる。
【００１９】
本発明において使用される場合、「含有する」および「含む」という用語は、「からなる」および「から実質的になる」という意味も含む。
【００２０】
室温は２３℃の温度であることが本発明に従って理解されるべきである。
【００２１】
モノマー溶液はモノマーとしてメチルメタクリレートを含む。
【００２２】
骨セメントにおける適切なポリマーは、ポリメチルメタクリレートならびにメチルメタクリレートと、それと共重合され得る１種以上のモノマー、例えば、メチルアクリレート、スチレンおよびエチルアクリレートとのコポリマーを含み、それらは粉末として存在する。
【００２３】
ポリマー粉末は１００μｍ未満のふるい分けした画分のポリマー粉末である。結果として、ポリマーは１００μｍのメッシュ幅を有するふるいを通して落ちた粒子だけを含有する。
【００２４】
本発明は、２５容積％〜４０容積％を占めるようにセメント粉末における介在空間を提供できる。
【００２５】
１００μｍ未満のふるい分けした画分のポリマーの重量分率は非常に広範であってもよく、セメント粉末における重量分率は好ましくは６９．５〜９９．３の範囲内である。
【００２６】
セメント粉末はまた、重合開始剤を含有する。重合開始剤は好ましくは活性化可能な重合開始剤、例えば過酸化物である。
【００２７】
過酸化物が好ましい。過酸化物は好ましくは遊離酸性基を含まない。過酸化物は、有機過酸化物または無機過酸化物、例えば、ジアルキルペルオキシドまたはヒドロペルオキシドなどであってもよい。例えば、過酸化物は、過酸化ジベンゾイル、クメンヒドロペルオキシド、１，１，３，３−テトラメチルブチルペルオキシド、ｔ−ブチルペルオキシド、ｔ−アミル−ヒドロペルオキシド、ジ−イソプロピルベンゼン−モノ−ヒドロペルオキシド、およびそれらの少なくとも２つの混合物からなる群から選択されてもよい。特に好ましい実施形態によれば、過酸化物は、過酸化ジベンゾイルおよびジラウロイルペルオキシドからなる群から選択される。３０重量％未満、好ましくは２８重量％未満の含水量を有する水で鈍性化された（ｗａｔｅｒ−ｐｈｌｅｇｍａｔｉｓｅｄ）過酸化ジベンゾイルが特に好ましい。
【００２８】
セメント粉末に対して０．４〜３．０重量％の割合の開始剤がセメント粉末に添加される。
【００２９】
セメント粉末はまた、メチルメタクリレート不溶性粒子状または繊維状添加剤を含有し、添加剤は、室温において添加剤１ｇ当たり０．６ｇ以上のメチルメタクリレートの吸収能力を有する。
【００３０】
添加剤の吸収能力を決定するために、薬学から公知のＥｎｓｌｉｎ装置（Ｃ．−Ｄ．  Ｈｅｒｚｆｅｌｄｔ，Ｊ．Ｋｒｅｕｔｅｒ（ｅｄ．）：Ｇｒｕｎｄｌａｇｅｎ  ｄｅｒ  Ａｒｚｎｅｉｆｏｒｍｅｎｌｅｈｒｅ．  Ｇａｌｅｎｉｋ  ２，Ｓｐｒｉｎｇｅｒ  Ｖｅｒｌａｇ  Ｂｅｒｌｉｎ  Ｈｅｉｄｅｌｂｅｒｇ  Ｎｅｗ  Ｙｏｒｋ，１９９９，ｐ．７９−８０）を簡略化した。Ｓｃｈｏｔｔ製のガラス濾過るつぼ１Ｄ３を使用した。ガラス濾過るつぼの風袋質量を最初に測定した。次いで３．０００ｇまたは１．０００ｇの添加剤をガラス濾過るつぼ内で秤量した。ガラス濾過るつぼをフィルターフラスコに置いた。添加剤が完全に覆われるように２０ｍｌのメチルメタクリレートを添加剤に加えた。添加剤によって吸収しなかったメチルメタクリレートはガラス濾過るつぼを通って下方に浸透した。１５分後、添加剤および吸収したメチルメタクリレートを有するガラス濾過るつぼを秤量し、吸収したメチルメタクリレートの質量を測定した。測定は３連で繰り返し、平均値を求めた。参照として、ガラス濾過るつぼを、添加剤を加えずにメチルメタクリレートで同様に処理した。
【００３１】
添加剤はその表面に共有結合しているヒドロキシル基を有することが有益である。これに関してＳｉ−ＯＨ基およびアルコールのＯＨ基が特に有益である。表面に配置されるＯＨ基に起因して、添加剤は高い表面エネルギーを有し、これにより、メチルメタクリレートによる添加剤の良好な湿潤性が提供される。
【００３２】
本発明によれば、微結晶性セルロース、セルロース、酸化セルロース、デンプン、二酸化チタンおよび二酸化ケイ素が添加剤として好ましい。さらに、ソルビトール、マンニトール、ジアンヒドログルシトールおよびキシリトールなどの糖アルコールもまた、添加剤として想定される。
【００３３】
一実施形態において、発熱性二酸化ケイ素が特に添加剤として好ましい。発熱性ケイ酸、Ａｅｒｏｓｉｌ（登録商標）３８０およびＡｅｒｏｓｉｌ（登録商標）３００が特に適している。それ以外に、添加剤としてゾル−ゲルプロセスによって生成される二酸化ケイ素を使用することも実行可能である。
【００３４】
好ましくは、添加剤は、１００μｍ未満のふるい分けした画分に従う、好ましくは５０μｍ未満のふるい分けされた画分に従う、特に好ましくは１０μｍ未満のふるい分けされた画分に従う粒径を有する。
【００３５】
少なくとも１種の放射線不透過剤は骨セメント粉末と混合されてもよい。放射線不透過剤は、好ましくは粒子状形態の、この分野において一般的な放射線不透過剤であってもよい。適切な放射線不透過剤は、ラジカル重合のためにモノマーに可溶性であっても、または不溶性であってもよい。放射線不透過剤は、好ましくは、金属酸化物（例えば、酸化ジルコニウムなど）、硫酸バリウム、毒性学的に許容可能な重金属粒子（例えば、タンタルなど）、フェライト、マグネタイト（適用可能である場合、超磁性マグネタイトも）、ならびに炭酸カルシウムおよび硫酸カルシウムなどの生体適合性カルシウム塩からなる群から選択される。これに関して、二酸化ジルコニウム、硫酸バリウム、炭酸カルシウムおよび硫酸カルシウムが好ましい。前記放射線不透過剤は好ましくは、１０ｎｍ〜５００μｍの範囲の平均粒径を有する。骨セメント粉末における混合された放射線不透過剤の濃度、特に二酸化ジルコニウムの濃度は好ましくは、０〜３０重量％の範囲、特に好ましくは０〜１５．０重量％の範囲である。
【００３６】
消炎剤、ビスフォスフォネート、成長因子ならびに好ましくは抗感染症薬および／または消毒剤などの薬剤は、乾燥セメント粉末において長期間にわたって比較的容易に保存され得る。具体的には、容易な水溶性の塩の形態またはさらに不十分な水溶性の塩もしくは錯体の形態で使用され得るゲンタマイシン、トブラマイシン、クリンダマイシン、バンコマイシン、ホスホマイシン、コリスチンおよびダプトマイシンが抗感染症薬として好ましい。オクテニジン、塩化デカリニウム、ポリヘキサニド、過酸化カルシウムおよび塩化ベンザルコニウムが防腐剤として好ましい。
【００３７】
モノマー溶液は活性化剤を含有する。芳香族アミンの群からの活性化剤が好ましい。Ｎ，Ｎ−ジメチル−ｐ−トルイジン、Ｎ，Ｎ−ジメチル−ｏ−トルイジン、Ｎ，Ｎ−ジメチル−アニリン、Ｎ，Ｎ−ビス−ヒドロキシエチル−ｐ−トルイジンが活性化剤として特に好ましい。
【００３８】
モノマー溶液は好ましくは、キノンまたは立体障害性フェノールの群からのラジカル安定剤も含有する。ｐ−ヒドロキノン、ｏ−ヒドロキノン、２，６−ジ−ｔ−ブチル−ｐ−ヒドロキノン、２−ｔ−ブチル−ｐ−ヒドロキノン、および２，６−ジ−ｔ−ブチル−４−メチル−フェノールがラジカル安定剤として好ましい。
【００３９】
モノマー溶液は着色剤物質をさらに含有してもよい。着色剤は、例えば、着色顔料、食用色素または着色ラッカーである。適した例としては、Ｅ１０１、Ｅ１０４、Ｅ１３２、Ｅ１４１（クロロフィリン）、Ｅ１４２、リボフラビン、リサミングリーンおよびＥ１０４とＥ１３２の混合物のアルミニウム塩である「Ｆａｒｂｌａｃｋ  Ｇｒｕｎ」が挙げられる。クロロフィリンＥ１４１が好ましい。
【００４０】
好ましくは、１．０〜１０重量％の割合の抗感染薬および消毒剤がセメント粉末に含まれる。
【００４１】
第１の実施形態において、セメント粉末は、０．０〜１５．０重量％の放射線不透過剤、０．４〜３．０重量％の過酸化ジベンゾイル、７９．５〜９９．３重量％のポリメチルメタクリレートおよび／またはポリメチルメタクリレート−コポリマー、０．１〜２．５重量％の添加剤から構成される。
【００４２】
第２の実施形態において、セメント粉末は、１．０〜１０重量％の抗感染薬または消毒剤、０．０〜１５．０重量％の放射線不透過剤、０．４〜３．０重量％の過酸化ジベンゾイル、６９．５〜９８．３重量％のポリメチルメタクリレートおよび／またはポリメチルメタクリレート−コポリマー、０．１〜２．５重量％の添加剤から構成される。
【００４３】
本発明はまた、ポリメチルメタクリレート骨セメントキットを含む。前記キットは、上記のセメント粉末および上記のモノマー溶液、メチルメタクリレート、ならびに上記の少なくとも１種の活性化剤を含む。
【００４４】
セメント粉末およびモノマー溶液は別個の成分であり、それらの未硬化状態において別々に保存され得る。
【００４５】
本発明によるポリメチルメタクリレート骨セメントは、関節プロテーゼの機械的固定化のためのプレパックセメンティングシステムにおける使用を意図する。
【００４６】
本発明を以下に提示した実施例によってより詳細に例示するが、それらは本発明の範囲を限定するものではない。
【実施例】
【００４７】
実施例１：添加剤の吸収能力の決定
以下の出発物質を添加剤の吸入能力の決定のために使用した：
メチルメタクリレート（Ｓｉｇｍａ−Ａｌｄｒｉｃｈ）
デンプン（Ｓｉｇｍａ−Ａｌｄｒｉｃｈ、１００μｍ未満のふるい分けした画分）
セルロース（Ｓｉｇｍａ−Ａｌｄｒｉｃｈ、１００μｍ未満のふるい分けした画分）
Ａｅｒｏｓｉｌ（登録商標）３８０（Ｅｖｏｎｉｋ、粒径約７ｎｍ）
【００４８】
Ｓｃｈｏｔｔ  Ｍａｉｎｚ製の１Ｄ３ガラス濾過るつぼを、添加剤、デンプン、セルロースおよびＡｅｒｏｓｉｌ（登録商標）３８０の吸収能力の決定のために使用した。ガラス濾過るつぼの風袋質量を最初に決定した。次いで、３．０００ｇの添加剤およびＡｅｒｏｓｉｌ（登録商標）３８０の場合、１．０００ｇをガラス濾過るつぼ内で秤量した。秤量した添加剤を有するガラス濾過るつぼを濾過フラスコに入れた。添加剤が完全に覆われるように１０ｍｌのメチルメタクリレートを添加剤に加えた。添加剤によって吸収されなかったメチルメタクリレートはガラス濾過るつぼを通して下方向に滴下した。１５分後、添加剤および吸収したメチルメタクリレートを有するガラス濾過るつぼを秤量し、吸収したメチルメタクリレートの質量を決定した。その決定は３連で反復し、平均を決定した。参照として、ガラス濾過るつぼを、添加剤を加えていないメチルメタクリレートで同様に処理した。
【００４９】
【表１】
2018075361.tif 000002
【００５０】
実施例２：セメント粉末とモノマー溶液の混合
以下の出発物質を以下のセメント粉末１〜１１の調製のために使用した：
メチルメタクリレート−メチルアクリレート−コポリマー
７５％過酸化ジベンゾイル（ＢＰＯ、２５重量％の水で鈍性化した）
二酸化ジルコニウム
デンプン（Ｓｉｇｍａ−Ａｌｄｒｉｃｈ、１００μｍ未満のふるい分けした画分）
セルロース（Ｓｉｇｍａ−Ａｌｄｒｉｃｈ、１００μｍ未満のふるい分けした画分）
Ａｅｒｏｓｉｌ（登録商標）３８０（Ｅｖｏｎｉｋ、粒径約７ｎｍ）
【００５１】
セメント粉末の成分を１０００ｍｌのプラスチックボトル内で秤量した。次いで、セメント粉末を、ＴＵＲＢＵＬＡ（登録商標）ミキサー（Ｗｉｌｌｙ  Ａ．Ｂａｃｈｏｆｅｎ  ＡＧ）で混合することによって均質にした。混合時間は３０分であった。
【００５２】
【表２】
2018075361.tif 000003
【００５３】
【表３】
2018075361.tif 000004
【００５４】
【表４】
2018075361.tif 000005
【００５５】
３５ｍｍの内径を有する透明な中空シリンダ形状のプラスチックカートリッジを、以下の実験においてガス透過性であるが、セメント粉末粒子不透過性閉鎖ヘッドと共に使用した。合計で４０．００ｇのセメント粉末をカートリッジ内に充填した。次いでセメント粉末を有する中空空間を、セメント粉末粒子に不透過性であるが、ガスおよび液体に透過性であり、プラスチックチューブにおいて軸方向に移動できる第１のプランジャによって閉鎖した。２０ｍｌのモノマー溶液を含有するｐａｌａｃｏｓアンプルを、第１のプランジャの後方の中空空間に入れた。続いて、ガス、液体およびセメント粉末粒子に不透過性であり、プラスチックカートリッジにおいて軸方向に移動できる第２のプランジャを挿入した。次いでプラスチックチューブを上部の閉鎖ヘッドと共に垂直に配置した。次いで手動で駆動される機械的射出装置（Ｐａｌａｍｉｘｇｕｎ）を使用して、閉鎖ヘッドの方向に第２のプランジャを押した。最後に、アンプルを破壊し、モノマー溶液および破片を第２のプランジャの方向に押した。これに関して、モノマー溶液を第２のプランジャを通してセメント粉末内に押した。これに関して、モノマー溶液を５．８ｃｍの距離にわたって上昇させることによってセメント粉末を完全に湿潤させた。数秒間待った後、閉鎖したヘッドを開口し、このように形成したセメントドウを押し出した。
【００５６】
実験の１つの改変において、真空コネクタを閉鎖ヘッドに取り付けた。合計で４０．００ｇのセメント粉末の各々をカートリッジ内に充填した。次いで、カートリッジを、ガスおよび液体に透過性であるプランジャと共に閉鎖した。カートリッジを、ヘッドを下にして保存し、真空を適用した。次いで、２０ｍｌのモノマー溶液のそれぞれを、ガスおよび液体に透過性であるプランジャに入れ、真空を適用した。全てのセメントにおいて、モノマー溶液は、約４．０ｃｍの距離にわたってセメント粉末を通って吸引された。
【００５７】
実施例３：ＩＳＯ５８３３に従う試験
以下の出発物質を以下のセメント粉末の調製のために使用した：
メチルメタクリレート−メチルアクリレート−コポリマー
７５％過酸化ジベンゾイル（ＢＰＯ、２５重量％の水で鈍性化した）
二酸化ジルコニウム
硫酸ゲンタマイシン
クリンダマイシン塩酸塩
バンコマイシン塩酸塩
ダプトマイシン
トロメタモール−ホスホマイシン
オクテニジン二塩酸塩
デンプン（Ｓｉｇｍａ−Ａｌｄｒｉｃｈ、１００μｍ未満のふるい分けした画分）
セルロース（Ｓｉｇｍａ−Ａｌｄｒｉｃｈ、１００μｍ未満のふるい分けした画分）
Ａｅｒｏｓｉｌ（登録商標）３８０（Ｅｖｏｎｉｋ、粒径約７ｎｍ）
【００５８】
ＰＭＭＡ骨セメント、ＰＡＬＡＣＯＳ（登録商標）ＬＶ＋Ｇ（バッチ７７３２、ｅｘｐ．２０１７−０６）を参照材料として使用した。
【００５９】
セメント粉末の成分を１０００ｍｌのプラスチックボトル内で秤量した。次いで、セメント粉末をＴＵＲＢＵＬＡミキサー（Ｗｉｌｌｙ  Ａ．Ｂａｃｈｏｆｅｎ  ＡＧ）で混合することによって均質化した。混合時間は３０分であった。
【００６０】
【表５】
2018075361.tif 000006
【００６１】
【表６】
2018075361.tif 000007
【００６２】
【表７】
2018075361.tif 000008
【００６３】
【表８】
2018075361.tif 000009
【００６４】
セメントドウの調製および試験体の製造のために、Ｈｅｒａｅｕｓ  Ｍｅｄｉｃａｌ  ＧｍｂＨ製の１０ｍｌのＰＡＬＡ−ＣＯＳ（登録商標）モノマー溶液アンプル（バッチ５２７６、ｅｘｐ．２０１０−１０）を使用した。１０ｍｌのモノマーアンプルのモノマー溶液は、９．２０ｇのメチルメタクリレート、０．１９ｇのＮ，Ｎ−ジメチル−ｐ−トルイジン、１０ｐｐｍのｐ−ヒドロキノンおよび０．２ｍｇのクロロフィリン（Ｅ１４１）からなる。
【００６５】
セメント粉末１２〜２８およびセメント粉末Ｐａｌａｃｏｓ  ＬＶ＋Ｇをモノマー溶液と混合して、セメントドウ試料を作製した。この目的のために、２０．０ｇの各々のセメント粉末１２〜２２を１０ｍｌのモノマー溶液と混合し、２０．５ｇのセメント粉末２３〜２８を１０ｍｌのモノマー溶液と共に均質化した。このように作製した各々のセメントドウを使用して、曲げ強度および曲げ弾性率を決定するために寸法（７５ｍｍ×１０ｍｍ×３．３ｍｍ）を有する小片形状の試験体、ならびに圧縮強度を決定するためにシリンダ形状の試験体（直径６ｍｍ、高さ１２ｍｍ）を作製した。次いで試験体を２３±１℃にて空気中で２４時間保存した。次いで試験体の４点曲げ強度、曲げ弾性率、および圧縮強度を、Ｚｗｉｃｋユニバーサル試験装置を使用して決定した。
【００６６】
【表９】
2018075361.tif 000010
【００６７】
ＩＳＯ５８３３は、少なくとも＞５０ＭＰａの可撓性強度、少なくとも＞１，８００ＭＰａの曲げ弾性率、および少なくとも＞７０ＭＰａの圧縮強度を含むように硬化したポリメチルメタクリレート骨セメントを必要とする。セメント粉末１２〜２８を使用して作製したセメント試料の曲げ強度、曲げ弾性率、および圧縮強度の決定の結果により、セメント試料が、曲げ強度、曲げ弾性率、および圧縮強度に関してＩＳＯ５８３３の要件を満たし、それを明らかに超えていることが示される。
【外国語明細書】
2018075361000001.pdf